(57)【特許請求の範囲】
【請求項１】
第１の識別情報を記憶する記憶手段と、
第２の識別情報を受け取る入力手段と、
前記第１の識別情報と前記第２の識別情報を比較し、前記第２の識別情報が正当か否かを判断し、正当な場合は３Ｄ映像を出力することを判定し、正当でない場合は３Ｄ映像を出力しないことを判定する制御手段と、
２Ｄ映像と３Ｄ映像の信号を選択的に出力することができる信号処理モジュールと、を備え、
前記制御手段は、
設定操作に応じて、前記第１の識別情報を登録するための処理を実行し、
前記３Ｄ映像が表示される前に、前記第２の識別情報の入力を要求し、前記第２の識別情報が正当である判定の後、出力許容時間以内で前記３Ｄ映像を出力し、３Ｄ映像出力時間が、前記出力許容時間に達したら、または前記出力許容時間の残り時間が所定時間に達したら、前記第２の識別情報の入力を要求し、前記第２の識別情報が正当でない場合は、他の番組の２Ｄ映像が表示されるように制御する、３Ｄ映像出力制御装置。
【請求項２】
前記制御手段は、前記要求に応じて入力された前記第２の識別情報が正当である判定の後、前記出力許容時間経過後も前記３Ｄ映像の出力を継続する請求項１に記載の３Ｄ映像出力制御装置。
【請求項３】
前記制御手段は、前記正当判定に基づき、選択された番組の前記３Ｄ映像を出力する請求項１に記載の３Ｄ映像出力制御装置。
【請求項４】
前記制御手段は、前記番組の終了後、前記３Ｄ映像の出力を停止する請求項１に記載の３Ｄ映像出力制御装置。
【請求項５】
入力信号が前記３Ｄ映像であることを示す、前記入力信号の中の３Ｄ情報を検出する検出手段を備え、
前記制御手段は、前記３Ｄ情報の前記検出手段の検出に基づき、前記第２の識別情報の入力を要求する請求項１に記載の３Ｄ映像出力制御装置。
【請求項６】
前記制御手段は、前記３Ｄ情報の前記検出手段の検出に基づき、前記第２の識別情報の入力による前記３Ｄ映像の出力を示す案内情報、及び前記第２の識別情報の入力を受け取るように構成された入力項目を出力する請求項１に記載の３Ｄ映像出力制御装置。
【請求項７】
前記制御手段は、前記３Ｄ情報の前記検出手段の検出に基づき、前記３Ｄ映像を２Ｄ映像へ変換し、前記２Ｄ映像、及び前記第２の識別情報の入力を受け取るように構成された入力項目を出力するように制御する請求項１に記載の３Ｄ映像出力制御装置。
【請求項８】
前記制御手段は、前記３Ｄ映像の出力指示に対応して、前記第２の識別情報の入力を要求する請求項１に記載の３Ｄ映像出力制御装置。
【請求項９】
複数のチャンネルから指定チャンネル信号を選択する選択手段を備え、
前記制御手段は、前記選択された指定チャンネル信号に対応した３Ｄ映像の出力を制限する請求項１に記載の３Ｄ映像出力制御装置。
【請求項１０】
第１の識別情報を記憶し、
第２の識別情報を受け取り、
前記第１の識別情報と前記第２の識別情報を比較し、前記第２の識別情報が正当か否かを判断し、正当な場合は３Ｄ映像を出力することを判定し、正当でない場合は３Ｄ映像を出力しないことを判定する出力制御方法において、
設定操作に応じて、前記第１の識別情報を登録するための処理を実行し、
２Ｄ映像と３Ｄ映像の信号を選択的に出力する場合、
前記３Ｄ映像が表示される前に、前記第２の識別情報の入力を要求し、前記第２の識別情報が正当である判定の後、出力許容時間以内で前記３Ｄ映像を出力し、３Ｄ映像出力時間が、前記出力許容時間に達したら、または前記出力許容時間の残り時間が所定時間に達したら、前記第２の識別情報の入力を要求し、前記第２の識別情報が正当でない場合は、他の番組の２Ｄ映像が表示されるように制御する、３Ｄ映像出力制御方法。
【発明の詳細な説明】
【技術分野】
【０００１】
本発明の実施形態は、映像の出力を制御する映像出力制御装置及び映像出力制御方法に関する。
【背景技術】
【０００２】
これまでに、３Ｄ（3-dimensional image）映像を表示するための様々な技術が開示され、実用化されているが、３Ｄ映像の明るさ及び解像度などが、２Ｄ（2-dimensional image）映像の明るさ及び解像度と比べて劣っていたため、これまで３Ｄテレビはそれほど普及してこなかった。
【０００３】
ところが、近年では、ＢＤ（Blu-ray）（登録商標）のような大容量光ディスクの登場、及びフルＨＤテレビの普及により、フレームシーケンシャル方式などによる高画質な３Ｄ映像の再生が可能になっている。従って、今後は３Ｄテレビが飛躍的に普及することが考えられる。
【先行技術文献】
【特許文献】
【０００４】
【特許文献１】特開２００９−１３５６８６号公報
【発明の概要】
【発明が解決しようとする課題】
【０００５】
３Ｄ映像は、２Ｄ映像に比べて、視聴者の目を疲労させることが知られており、また、３Ｄ映像は、子供の視覚機能の発達に悪影響を及ぼす可能性があることが知られている。
【０００６】
しかしながら、このような３Ｄ映像による弊害を防止するための技術は不十分な状態である。
【０００７】
本発明の目的は、３Ｄ映像の出力制限が可能な映像出力制御装置及び映像出力制御方法を提供することにある。
【課題を解決するための手段】
【０００８】
実施形態によれば、第１の識別情報を記憶する記憶手段と、第２の識別情報を受け取る入力手段と、前記第１の識別情報と前記第２の識別情報を比較し、前記第２の識別情報が正当か否かを判断し、正当な場合は３Ｄ映像を出力することを判定し、正当でない場合は３Ｄ映像を出力しないことを判定する制御手段と、を備える。信号処理モジュールは、２Ｄ映像と３Ｄ映像の信号を選択的に出力することができる。そして、前記制御手段は、設定操作に応じて、前記第１の識別情報を登録するための処理を実行し、前記３Ｄ映像が表示される前に、前記第２の識別情報の入力を要求し、前記第２の識別情報が正当である判定の後、出力許容時間以内で前記３Ｄ映像を出力し、３Ｄ映像出力時間が、前記出力許容時間に達したら、または前記出力許容時間の残り時間が所定時間に達したら、前記第２の識別情報の入力を要求し、前記第２の識別情報が正当でない場合は、他の番組の２Ｄ映像が表示されるように制御する。
【図面の簡単な説明】
【０００９】
【図１】第１〜第３の実施形態に共通のデジタルテレビジョン放送受信装置（映像出力制御装置）の構成の一例を示す図である。
【図２】３Ｄ映像出力制限の設定処理（３Ｄ映像の出力を制限するための登録ＰＩＮの設定）の一例を示すフローチャートである。
【図３】３Ｄ映像出力制限の一例を示すフローチャートである。
【図４】設定メニュー画面の第１例を示す図である。
【図５】３Ｄ映像出力設定画面の一例を示す図である。
【図６】解除ＰＩＮ入力画面の一例を示す図である。
【図７】３Ｄ映像出力設定画面の第２例を示す図である。
【図８】３Ｄ映像出力設定画面の第３例を示す図である。
【発明を実施するための形態】
【００１０】
以下、第１〜第３の実施形態について図面を参照して説明する。
【００１１】
図１は、第１〜第３の実施形態に共通のデジタルテレビジョン放送受信装置（映像出力制御装置）の構成の一例を示す図である。第１〜第３の実施形態では、デジタルテレビジョン放送受信装置による映像出力制御について説明する。しかしながら、デジタルテレビジョン放送受信装置による映像出力制御に限定されるものではない。例えば、ＨＤＤレコーダ、ＢＤ（Blu-ray）（登録商標）レコーダ、及びＤＶＤレコーダ等の番組録画装置により以下説明する映像出力制御を実現することも可能である。
【００１２】
図１を参照して、デジタルテレビジョン放送受信装置１００について説明する。図１に示すように、ＢＳ／ＣＳデジタル放送受信用のアンテナ４７で受信した衛星デジタルテレビジョン放送信号は、入力端子４８を介して衛星デジタル放送用のチューナ４９ａ、４９ｂに供給され、チューナ４９ａ、４９ｂが指定されたチャンネルの放送信号を選択する。なお、デジタルテレビジョン放送受信装置１００は、衛星デジタル放送用のチューナ４９ａ、４９ｂを備えることにより、最大２チャンネルの衛星デジタル放送信号を同時に選択することができる。図１に示すように、デジタルテレビジョン放送受信装置１００が、衛星デジタル放送用のチューナを二つ備えるケースについて説明するが、衛星デジタル放送用のチューナを三つ以上備える構成としてもよい。
【００１３】
そして、このチューナ４９ａ、４９ｂで選択された放送信号は、ＰＳＫ（phase shift keying）復調モジュール５０ａ、５０ｂに供給されて、デジタルの映像信号及び音声信号に復調された後、信号処理モジュール５１に出力される。
【００１４】
また、地上波放送受信用のアンテナ５２で受信した地上デジタルテレビジョン放送信号は、入力端子５３を介して地上デジタル放送用のチューナ５４ａ、５４ｂに供給され、チューナ５４ａ、５４ｂは指定されたチャンネルの放送信号を選択する。なお、デジタルテレビジョン放送受信装置１００は、地上デジタル放送用のチューナ５４ａ、５４ｂを備えることにより、最大２チャンネルの地上デジタル放送信号を同時に選択することができる。図１に示すように、デジタルテレビジョン放送受信装置１００が、地上デジタル放送用のチューナを二つ備えるケースについて説明するが、地上デジタル放送用のチューナを三つ以上備える構成としてもよい。
【００１５】
そして、このチューナ５４ａ、５４ｂで選択された放送信号は、ＯＦＤＭ（orthogonal frequency division multiplexing）復調モジュール５５に供給されて、デジタルの映像信号及び音声信号に復調された後、上記信号処理モジュール５１に出力される。
【００１６】
また、上記地上波放送受信用のアンテナ５２で受信した地上アナログテレビジョン放送信号は、入力端子５３を介して地上アナログ放送用のチューナ５６に供給され、チューナ５６は指定されたチャンネルの放送信号を選択する。そして、このチューナ５６で選択された放送信号は、アナログ復調モジュール５７に供給されてアナログの映像信号及び音声信号に復調された後、上記信号処理モジュール５１に出力される。
【００１７】
ここで、上記信号処理モジュール５１は、ＰＳＫ復調モジュール５０及びＯＦＤＭ復調モジュール５５からそれぞれ供給されたデジタルの映像信号及び音声信号に対して、選択的に所定のデジタル信号処理を施し、グラフィック処理モジュール５８及び音声処理モジュール５９に出力している。
【００１８】
また、上記信号処理モジュール５１には、複数（図示の場合は４つ）の入力端子６０ａ，６０ｂ，６０ｃ，６０ｄが接続されている。これら入力端子６０ａ〜６０ｄは、それぞれ、アナログの映像信号及び音声信号を、デジタルテレビジョン放送受信装置１００の外部から入力可能とするものである。
【００１９】
そして、この信号処理モジュール５１は、上記アナログ復調モジュール５７及び各入力端子６０ａ〜６０ｄからそれぞれ供給されたアナログの映像信号及び音声信号を選択的にデジタル化し、そのデジタル化された映像信号及び音声信号に対して所定のデジタル信号処理を施した後、グラフィック処理モジュール５８及び音声処理モジュール５９に出力している。
【００２０】
このうち、グラフィック処理モジュール５８は、信号処理モジュール５１から供給されるデジタルの映像信号に、ＯＳＤ（on screen display）信号生成モジュール６１で生成されるＯＳＤ信号を重畳して出力する機能を有する。このグラフィック処理モジュール５８は、信号処理モジュール５１の出力映像信号と、ＯＳＤ信号生成モジュール６１の出力ＯＳＤ信号とを選択的に出力すること、また、両出力を組み合わせて出力することができる。
【００２１】
そして、グラフィック処理モジュール５８から出力されたデジタルの映像信号は、映像処理モジュール６２に供給される。映像処理モジュール６２により処理された映像信号は、映像表示器１４に供給され、また出力端子６３にも供給される。映像表示器１４は、映像信号に基づく映像を表示し、出力端子６３に対して外部機器が接続されると、出力端子６３に供給された映像信号は、外部機器へ入力される。
【００２２】
また、上記音声処理モジュール５９は、入力されたデジタルの音声信号を、前記スピーカ１５で再生可能なアナログ音声信号に変換した後、スピーカ１５に出力して音声出力させるとともに、出力端子６４を介して外部に導出させる。
【００２３】
なお、デジタルテレビジョン受像機１００の制御モジュール６５が、上記した信号処理等を含む全ての処理及び動作を統括的に制御する。制御モジュール６５は、ＣＰＵ（central processing unit）等により構成されている。制御モジュール６５は、操作部１６からの操作情報、または、前記リモートコントローラ１７から送出され受光部１８を介して受信した操作情報に基づき、操作内容が反映されるように各モジュールをそれぞれ制御している。
【００２４】
この場合、制御モジュール６５は、主として、ＣＰＵが実行する制御プログラムを格納したＲＯＭ（read only memory）６６と、ＣＰＵに作業エリアを提供するＲＡＭ（random access memory）６７と、各種の設定情報及び制御情報等が格納される不揮発性メモリ６８とを利用している。
【００２５】
また、この制御モジュール６５は、カードＩ／Ｆ（interface）６９を介して、第１のメモリカード１９が装着可能なカードホルダ７０に接続されている。これによって、制御モジュール６５は、カードホルダ７０に装着された第１のメモリカード１９と、カードＩ／Ｆ６９を介して情報伝送を行なうことができる。
【００２６】
また、この制御モジュール６５は、カードＩ／Ｆ（interface）７１を介して、第２のメモリカード２０が装着可能なカードホルダ７２に接続されている。これによって、制御モジュール６５は、カードホルダ７２に装着された第２のメモリカード２０と、カードＩ／Ｆ７１を介して情報伝送を行なうことができる。
【００２７】
また、上記制御モジュール６５は、通信Ｉ／Ｆ７３を介してＬＡＮ端子２１と接続されている。これにより、制御モジュール６５は、ＬＡＮ端子２１に接続されたＬＡＮ対応機器と、通信Ｉ／Ｆ７３を介して情報伝送を行なうことができる。この場合、制御モジュール６５は、ＤＨＣＰ（dynamic host configuration protocol）サーバ機能を有し、ＬＡＮ端子２１に接続されたＬＡＮ対応機器にＩＰ（internet protocol）アドレスを割り当てて制御している。ＬＡＮ対応機器としては、例えばＮＡＳ（Network Attached Storage）１０３が挙げられる。
【００２８】
さらに、上記制御モジュール６５は、第１のＨＤＭＩ Ｉ／Ｆ７４を介して第１のＨＤＭＩ端子２２と接続されている。これにより、制御モジュール６５は、第１のＨＤＭＩ端子２２に接続されたＨＤＭＩ対応機器と、第１のＨＤＭＩ Ｉ／Ｆ７４を介して情報伝送を行なうことができる。また、上記制御モジュール６５は、第２のＨＤＭＩ Ｉ／Ｆ７５を介して第２のＨＤＭＩ端子２３と接続されている。これにより、制御モジュール６５は、第２のＨＤＭＩ端子２３に接続されたＨＤＭＩ対応機器と、第２のＨＤＭＩ Ｉ／Ｆ７５を介して情報伝送を行なうことができる。
【００２９】
そして、上記制御モジュール６５は、ＵＳＢ Ｉ／Ｆ７６を介して前記ＵＳＢ端子２４と接続されている。これにより、制御モジュール６５は、ＵＳＢ端子２４に接続されたＵＳＢ対応機器と、ＵＳＢ Ｉ／Ｆ７６を介して情報伝送を行なうことができる。ＵＳＢ対応機器としては、例えばＵＳＢ−ＨＤＤ１０２が挙げられる。
【００３０】
さらに、上記制御モジュール６５は、ｉ．Ｌｉｎｋ Ｉ／Ｆ７７を介してｉ．Ｌｉｎｋ端子２５と接続されている。これにより、制御モジュール６５は、ｉ．Ｌｉｎｋ端子２５に接続されたｉ．Ｌｉｎｋ対応機器と、ｉ．Ｌｉｎｋ Ｉ／Ｆ７７を介して情報伝送を行なうことができる。ｉ．Ｌｉｎｋ対応機器としては、ｉ．Ｌｉｎｋ−ＨＤＤ１０４が挙げられる。
【００３１】
さらに、上記制御モジュール６５は、不揮発性メモリ６８に記憶された録画予約リストに含まれた録画予約情報を参照し、録画動作を制御する。録画先としては、例えば内蔵ＨＤＤ１０１、ＵＳＢ−ＨＤＤ１０２、ＮＡＳ１０３、ｉ．ＬＩＮＫ−ＨＤＤ１０４がある。
【００３２】
続いて、デジタルテレビジョン放送受信装置１００の３Ｄ映像出力及び２Ｄ映像出力について説明する。
【００３３】
デジタルテレビジョン放送受信装置１００の信号処理モジュール５１は、３Ｄ処理モジュール５１１を備え、デジタルテレビジョン放送受信装置１００は、３Ｄ処理モジュール５１１により３Ｄ映像を提供可能に構成されている。
【００３４】
例えば、デジタルテレビジョン放送受信装置１００は、時分割方式により３Ｄ映像を表示する。時分割方式とは、アクティブ方式の液晶シャッターメガネと高速駆動ディスプレイとを組み合わせて、３Ｄ映像を表示又は見せる方式である。
【００３５】
つまり、デジタルテレビジョン放送受信装置１００は、時分割方式に対応した３Ｄ映像を表示することができる。即ち、３Ｄ処理モジュール５１１は、３Ｄ映像信号に含まれた右目用、左目用の映像を１フレームごとに切り換えて出力し、これに対応し、映像表示器１４（高速駆動ディスプレイ）は、右目用、左目用の映像を１フレームごとに切り換えて表示する。
【００３６】
ユーザは、アクティブ方式の液晶シャッターメガネをかけて、３Ｄ映像を視ることができる。つまり、液晶シャッターメガネは、１フレームごとの右目用、左目用の映像切り換えに対応して、右目用のシャッターと左目用のシャッターとを交互に閉ざして、右目には右目用の映像、左目には左目の映像を見せる。
【００３７】
上記では、時分割方式による３Ｄ映像表示の一例について説明したが、その他の３Ｄ表示方式を適用することも可能であり、例えば、裸眼で見ることができる３Ｄ映像の表示方式を適用することも可能である。
【００３８】
また、３Ｄ処理モジュール５１１は、２Ｄ映像信号を３Ｄ映像信号へ変換する３Ｄ変換処理を実行し、２Ｄ映像信号に基づき３Ｄ映像を提供することもできる。
【００３９】
さらに、デジタルテレビジョン放送受信装置１００の信号処理モジュール５１は、２Ｄ処理モジュール５１２を備え、デジタルテレビジョン放送受信装置１００は、２Ｄ処理モジュール５１２により２Ｄ映像を提供可能に構成されている。例えば、２Ｄ処理モジュール５１２は、３Ｄ映像信号を２Ｄ映像信号へ変換する２Ｄ変換処理を実行し、３Ｄ映像信号に基づき２Ｄ映像を提供することができる。
【００４０】
以上により、デジタルテレビジョン放送受信装置１００は、３Ｄ映像信号に基づき３Ｄ映像を提供すること、３Ｄ映像信号に基づき２Ｄ映像を提供すること、２Ｄ映像信号に基づき３Ｄ映像を提供すること、及び２Ｄ映像信号に基づき２Ｄ映像を提供することができる。
【００４１】
なお、３Ｄ処理モジュール５１１における３Ｄ変換処理、及び２Ｄ処理モジュール５１２における２Ｄ変換処理には、例えば、特開２００６−１２１５５３号公報に開示された２Ｄ変換処理及び３Ｄ変換処理を適用することができる。
【００４２】
次に、図２、図３に示すフローチャートと、図４〜図８に示す画面の表示例を参照し、デジタルテレビジョン放送受信装置による映像出力制御の一例について説明する。
【００４３】
（第１の実施形態）
デジタルテレビジョン放送受信装置１００の不揮発性メモリ６８は、３Ｄ映像の出力を制限するための第１の識別情報（ＰＩＮ：Personal Identification Number）を記憶し、デジタルテレビジョン放送受信装置１００の制御モジュール６５は、３Ｄ映像の出力制限を解除するための第２の識別情報（ＰＩＮ：Personal Identification Number）の入力を要求し、記憶された第１の識別情報（以下、登録ＰＩＮと称する）及び入力された第２の識別情報（以下、解除ＰＩＮと称する）に基づき、解除ＰＩＮの正当性を判定し、判定結果に基づき、３Ｄ映像の出力を制限又は出力制限を解除するように制御する。
【００４４】
例えば、制御モジュール６５は、登録ＰＩＮと解除ＰＩＮとを比較し、登録ＰＩＮと解除ＰＩＮとの不一致による解除ＰＩＮの不正判定に基づき、３Ｄ映像出力を拒否するように制御し、登録ＰＩＮと解除ＰＩＮとの一致による解除ＰＩＮの正当判定に基づき、３Ｄ映像を出力するように制御する。
【００４５】
例えば、ユーザが、リモートコントローラ１７等を介して、所定チャンネル（３Ｄ映像の番組）を指定した場合、チューナ５４ａ等は、放送信号から所定チャンネルの信号を選択するが、解除ＰＩＮが正しく入力されなければ、制御モジュール６５は、所定チャンネルの信号に対応した３Ｄ映像を出力しないように制御し、解除ＰＩＮが正しく入力されれば、制御モジュール６５は、所定チャンネルの信号に対応した３Ｄ映像を出力するように制御する。
【００４６】
以下、登録ＰＩＮと解除ＰＩＮに基づく３Ｄ映像の出力制御について詳しく説明する。
【００４７】
最初に、図２を参照し、３Ｄ映像出力制限の設定処理（３Ｄ映像の出力を制限するための登録ＰＩＮの設定）の一例について説明する。
【００４８】
ユーザは、例えばリモートコントローラ１７に設けられた設定メニューキーを介して、設定メニューの表示を指示することができる。リモートコントローラ１７は、設定メニューキーの押下に対応して、設定メニューの表示を要求する（ＳＴ１０１、ＹＥＳ）。制御モジュール６５は、受光モジュール１８を介して、設定メニューの表示要求を受け取り、設定メニューの表示を制御する。これに対応して、映像表示器１４は、図４に示すような設定メニューを表示する（ＳＴ１０２）。
【００４９】
続いて、ユーザは、リモートコントローラ１７に設けられた方向キー及び決定キーを介して、設定メニュー上から、３Ｄ映像出力設定の項目を選択することができる。リモートコントローラ１７は、方向キー及び決定キーの押下に対応して、３Ｄ映像出力設定の項目選択を要求する（ＳＴ１０３、ＹＥＳ）。制御モジュール６５は、受光モジュール１８を介して、３Ｄ映像出力設定の項目選択の要求を受け取り、３Ｄ映像出力設定画面の表示を制御する。これに対応して、映像表示器１４は、図５に示すような３Ｄ映像出力設定画面を表示する。
【００５０】
例えば、図５に示すように、３Ｄ映像出力設定画面には、「３Ｄ映像出力を制限する、ＹＥＳ／ＮＯ」が表示される。ユーザが、リモートコントローラ１７に設けられた方向キー及び決定キーを介して、３Ｄ映像出力設定画面上で「ＹＥＳ」を選択すると（ＳＴ１０４、ＹＥＳ）、制御モジュール６５は、「ＹＥＳ」の選択を検出し、３Ｄ映像の出力を制限するための登録ＰＩＮの入力を要求する（ＳＴ１０５）。例えば、制御モジュール６５による登録ＰＩＮの入力の要求に対応して、３Ｄ映像出力設定画面上で、登録ＰＩＮの入力が可能な状態となる。
【００５１】
ユーザは、リモートコントローラ１７に設けられたテンキー及び決定キーを介して、登録ＰＩＮを入力し、「確定」を選択すると（ＳＴ１０６、ＹＥＳ）、制御モジュール６５は、登録ＰＩＮを設定する（ＳＴ１０７）。例えば、不揮発性メモリ６８が、登録ＰＩＮを記憶する。なお、登録ＰＩＮを設定した後であっても、図５に示すような３Ｄ映像出力設定画面を介して、３Ｄ映像出力制限を有効にしたり無効にしたりすることができるものとする。
【００５２】
次に、図３を参照し、３Ｄ映像出力制限の一例について説明する。
【００５３】
上記説明したように、３Ｄ映像出力が制限された状態（３Ｄ映像出力制限を有効にした状態）で（ＳＴ２０１、ＹＥＳ）、信号処理モジュール５１が、入力信号から３Ｄ映像であることを示す３Ｄ情報（３Ｄフラグ）を検出すると（ＳＴ２０２、ＹＥＳ）、制御モジュール６５は、３Ｄ映像の出力制限を解除するための解除ＰＩＮの入力が必要である旨の案内を出力するように制御し、解除ＰＩＮの入力を要求する（ＳＴ２０５）。これに対応して、映像表示器１４は、図６に示すような解除ＰＩＮ入力画面を表示する。
【００５４】
なお、２Ｄ処理モジュール５１２が、入力信号に含まれた３Ｄ映像信号を２Ｄ映像信号へ変換し、制御モジュール６５が、解除ＰＩＮ入力画面の背景として、２Ｄ映像信号に基づき２Ｄ映像を出力するように制御し、さらに、入力信号に含まれた音声を出力するように制御し、解除ＰＩＮの入力を待つこともできる。例えば、２Ｄ処理モジュール５１２は、３Ｄ映像信号を構成する片目用の映像から２Ｄ映像信号を生成することができる。
【００５５】
なお、信号処理モジュール５１は、入力信号から３Ｄ情報が検出できなくとも、入力信号を解析し、入力信号が３Ｄ映像の信号か否かを検出することができる。例えば、上記説明したように、３Ｄ映像信号は、右目用、左目用の映像信号により構成されており、信号処理モジュール５１は、入力信号からこのような構成の映像信号を検出することにより、入力信号が３Ｄ映像信号に対応しているか否かを判断することができる。
【００５６】
或いは、３Ｄ映像出力が制限された状態（３Ｄ映像出力制限を有効にした状態）で（ＳＴ２０１、ＹＥＳ）、リモートコントローラ１７に設けられた３Ｄキーの押下に対応して、リモートコントローラ１７から３Ｄ映像の出力が要求されると（ＳＴ２０３、ＹＥＳ）、制御モジュールは、この３Ｄ映像の出力要求を検出し、３Ｄ映像の出力制限を解除するための解除ＰＩＮの入力が必要である旨の案内を出力するように制御し、解除ＰＩＮの入力を要求する（ＳＴ２０５）。これに対応して、映像表示器１４は、図６に示すような解除ＰＩＮ入力画面を表示する。さらに、制御モジュール６５は、３Ｄ映像を２Ｄ映像へ変換し、２Ｄ映像を背景として出力するように制御してもよい。
【００５７】
３Ｄ情報（３Ｄフラグ）が検出されず（ＳＴ２０２、ＮＯ）、３Ｄ映像の出力も要求されなければ（ＳＴ２０３、ＮＯ）、例えば、映像表示器１４は、２Ｄ映像を表示する（ＳＴ２０４）。
【００５８】
図６に示すような解除ＰＩＮ入力画面が表示された状態で、ユーザは、リモートコントローラ１７に設けられたテンキー及び決定キーを介して、３Ｄ映像の出力制限を解除するための解除ＰＩＮを入力し、「確定」を選択すると（ＳＴ２０６、ＹＥＳ）、制御モジュール６５は、不揮発性メモリ６８に記憶された登録ＰＩＮと、入力された解除ＰＩＮとを比較し、解除ＰＩＮの正当性を判定する。
【００５９】
制御モジュール６５は、登録ＰＩＮと解除ＰＩＮとの不一致による解除ＰＩＮの不正判定に基づき、３Ｄ映像の出力制限を継続する（ＳＴ２１２）。なお、登録ＰＩＮと解除ＰＩＮとが不一致の場合、制御モジュール６５は、解除ＰＩＮの再入力を要求する。
【００６０】
また、制御モジュール６５は、登録ＰＩＮと解除ＰＩＮとの一致による解除ＰＩＮの正当判定に基づき、３Ｄ映像の出力制限を解除するように制御する（ＳＴ２０８）。制御モジュール６５は、下記の解除処理１又は解除処理２に示すように、３Ｄ映像の出力制限を解除し、３Ｄ映像を出力するように制御し（ＳＴ２０９）、所定のタイミングで（ＳＴ２１０、ＹＥＳ）、再び、３Ｄ映像の出力を制限する（ＳＴ２１１）。
【００６１】
＜解除処理１＞
制御モジュール６５は、デジタルテレビジョン放送受信装置１００の電力がオフされるまでの間、３Ｄ映像の出力制限を解除し続ける。よって、ユーザが所定のチャンネル（３Ｄ映像の番組）を選択すると、デジタルテレビジョン放送受信装置１００は、放送信号から所定チャンネルの信号を選択し、選択された所定チャンネルの信号に対応した３Ｄ映像を出力する。デジタルテレビジョン放送受信装置１００の電力がオフされ、その後、デジタルテレビジョン放送受信装置１００の電力がオンされた場合、制御モジュール６５は、再び、３Ｄ映像の出力を制限する。よって、ユーザが所定のチャンネル（３Ｄ映像の番組）を選択すると、再び、制御モジュールは、３Ｄ映像の出力制限を解除するための解除ＰＩＮの入力が必要である旨の案内を出力するように制御し、解除ＰＩＮの入力を要求する。これに対応して、映像表示器１４は、解除ＰＩＮ入力画面を表示する。
【００６２】
＜解除処理２＞
制御モジュール６５は、選択された番組の出力期間中において、３Ｄ映像の出力制限を解除し続ける。よって、制御モジュール６５は、選択された番組の３Ｄ映像を出力し（ＳＴ２０９）、この番組の終了後に（ＳＴ２１０、ＹＥＳ）、再び、３Ｄ映像の出力を制限する（ＳＴ２１１）。よって、この番組の終了後に、ユーザが３Ｄ映像の番組を選択すると、再び、制御モジュールは、３Ｄ映像の出力制限を解除するための解除ＰＩＮの入力が必要である旨の案内を出力するように制御し、解除ＰＩＮの入力を要求する。これに対応して、映像表示器１４は、解除ＰＩＮ入力画面を表示する。
【００６３】
また、制御モジュール６５は、登録ＰＩＮと解除ＰＩＮとの不一致による解除ＰＩＮの不正判定に基づき、下記の出力制限処理１又は出力制限処理２に示すように、３Ｄ映像の出力制限を継続する。
【００６４】
＜出力制限処理１＞
制御モジュール６５は、２Ｄ映像を出力するように制御する（ＳＴ２１２）。例えば、選択された番組が３Ｄ映像の場合、他の番組の２Ｄ映像へ切り換え、他の番組の２Ｄ映像を出力するように制御する（ＳＴ２１２）。
【００６５】
＜出力制限処理２＞
制御モジュール６５は、３Ｄ映像を２Ｄ映像へ変換し、この２Ｄ映像を出力するように制御する（ＳＴ２１２）。例えば、選択された番組が３Ｄ映像の場合、２Ｄ処理モジュール５１２は、選択された番組の３Ｄ映像を２Ｄ映像へ変換し、制御モジュール６５は、この変換された２Ｄ映像を出力するように制御する（ＳＴ２１２）。
【００６６】
（第２の実施形態）
第１の実施形態では、解除処理１及び解除処理２について説明したが、以下に示す解除処理３を適用するようにしてもよい。つまり、制御モジュール６５は、下記の解除処理３に示すように、３Ｄ映像の出力制限を解除し、３Ｄ映像を出力するように制御し（ＳＴ２０９）、所定のタイミングで（ＳＴ２１０、ＹＥＳ）、再び、３Ｄ映像の出力を制限する（ＳＴ２１１）。
【００６７】
＜解除処理３＞
制御モジュール６５は、設定された出力許容時間内で３Ｄ映像の出力制限を解除し続ける。よって、制御モジュール６５は、３Ｄ映像の出力時間が出力許容時間に達したら３Ｄ映像の出力を停止し、３Ｄ映像の出力を制限する。
【００６８】
例えば、図７に示すような３Ｄ映像出力設定画面を介して、リモートコントローラ１７を利用して、正しいＰＩＮ入力時の３Ｄ映像の出力許容時間（例えば６０分）を設定することができるものとし、不揮発性メモリ６８が、設定された出力許容時間を記憶するものとする。
【００６９】
さらに、制御モジュール６５は、３Ｄ映像出力時間と出力許容時間とを比較し、比較結果に応じて、解除ＰＩＮの入力を要求する。例えば、制御モジュール６５は、３Ｄ映像出力時間が出力許容時間に達したら、又は出力許容時間が残り５分になったら、解除ＰＩＮの入力を要求する。これに対応して、映像表示器１４は、解除ＰＩＮ入力画面を表示する。
【００７０】
（第３の実施形態）
第１の実施形態では、出力制限処理１及び出力制限処理２について説明したが、以下に示す出力制限処理３を適用するようにしてもよい。つまり、制御モジュール６５は、下記の出力制限処理３に示すように、３Ｄ映像の出力制限を継続する。
【００７１】
＜出力制限処理３＞
制御モジュール６５は、設定された出力許容時間内で３Ｄ映像を出力するように制御し、３Ｄ映像の出力時間が出力許容時間に達したら３Ｄ映像の出力を停止するように制御し、その後、出力条件１又は出力条件２を実行するように制御する。
【００７２】
なお、図８に示すような３Ｄ映像出力設定画面を介して、リモートコントローラ１７を利用して、ＰＩＮ入力無しの３Ｄ映像の出力許容時間（例えば３０分）を設定することができるものとし、不揮発性メモリ６８が、設定された出力許容時間を記憶するものとする。
【００７３】
上記第１、第２、第３の実施形態に示すように、デジタルテレビジョン放送受信装置１００は、３Ｄ映像出力の前に、３Ｄ映像の出力を制限することができる。また、デジタルテレビジョン放送受信装置１００は、正しい解除ＰＩＮの入力に対応して、３Ｄ映像の出力制限を解除することができる。これにより、視覚機能の発達段階にある子供が、無断で３Ｄ映像を見続けるような事態を防止することができる。
【００７４】
デジタルテレビジョン放送受信装置１００は、番組視聴年齢を制限するためのＶ−ｃｈｉｐのＰＩＮを記憶することもできるが、このＶ−ｃｈｉｐのＰＩＮと、３Ｄ映像の出力を制限するための登録ＰＩＮとは別々に管理される。つまり、デジタルテレビジョン放送受信装置１００は、番組視聴年齢の制限と、３Ｄ映像出力の制限とを別々に実行することができるものとする。
【００７５】
なお、上記したモジュールとは、ハードウェアで実現するものであっても良いし、ＣＰＵ等を使ってソフトウェアで実現するものであってもよい。
【００７６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７７】
以下、本願の原出願の出願当初の特許請求の範囲に記載された発明を付記する。
【００７８】
［１］
３Ｄ映像の出力を制限するための第１の識別情報を記憶する記憶手段と、
前記３Ｄ映像の出力制限を解除するための第２の識別情報を入力する入力手段と、
前記第1及び第２の識別情報に基づき、前記第２の識別情報の正当性を判定し、判定結果に基づき、前記３Ｄ映像の出力を制限又は出力制限を解除するように制御する制御手段と、
を備えた映像出力制御装置。
【００７９】
［２］
前記制御手段は、前記第１の識別情報と前記第２の識別情報の不一致による不正判定に基づき、前記３Ｄ映像の出力を拒否するように制御し、前記第１の識別情報と前記第２の識別情報の一致による正当判定に基づき、前記３Ｄ映像を出力するように制御する［１］に記載の映像出力制御装置。
【００８０】
［３］
前記制御手段は、前記不正判定に基づき、前記３Ｄ映像に替えて２Ｄ映像を出力するように制御する［２］に記載の映像出力制御装置。
【００８１】
［４］
前記制御手段は、前記不正判定に基づき、選択された番組の前記３Ｄ映像を２Ｄ映像へ変換し、前記２Ｄ映像を出力するように制御する［２］に記載の映像出力制御装置。
【００８２】
［５］
前記３Ｄ映像の出力許容時間を設定する設定手段を備え、
前記制御手段は、前記不正判定に基づき、前記出力許容時間内で前記３Ｄ映像を出力するように制御し、前記３Ｄ映像の出力時間が前記出力許容時間に達したら前記３Ｄ映像の出力を停止するように制御する［２］に記載の映像出力制御装置。
【００８３】
［６］
前記制御手段は、前記正当判定に基づき、選択された番組の前記３Ｄ映像を出力するように制御する［２］に記載の映像出力制御装置。
【００８４】
［７］
前記制御手段は、前記番組の終了後、前記３Ｄ映像の出力を停止するように制御する［６］に記載の映像出力制御装置。
【００８５】
［８］
前記３Ｄ映像の出力許容時間を設定する設定手段を備え、
前記制御手段は、前記正当判定に基づき、前記出力許容時間内で前記３Ｄ映像を出力するように制御し、前記３Ｄ映像の出力時間が前記出力許容時間に達したら前記３Ｄ映像の出力を停止するように制御する［２］に記載の映像出力制御装置。
【００８６】
［９］
前記制御手段は、前記３Ｄ映像出力時間と前記出力許容時間とを比較し、比較結果に応じて、前記第２の識別情報の再入力を要求する［８］に記載の映像出力制御装置。
【００８７】
［１０］
入力信号から前記３Ｄ映像であることを示す３Ｄ情報を検出する検出手段を備え、
前記制御手段は、前記３Ｄ情報の検出に対応して、前記第２の識別情報の入力を要求する［１］に記載の映像出力制御装置。
【００８８】
［１１］
前記制御手段は、前記３Ｄ情報の検出に対応して、前記３Ｄ映像を出力するために前記第２の識別情報の入力が必要であることを示す案内情報、及び前記第２の識別情報を入力するための入力項目を出力するように制御する［１０］に記載の映像出力制御装置。
【００８９】
［１２］
前記制御手段は、前記３Ｄ情報の検出に対応して、前記３Ｄ映像を２Ｄ映像へ変換し、前記２Ｄ映像、及び前記第２の識別情報を入力するための入力項目を出力するように制御する［１０］に記載の映像出力制御装置。
【００９０】
［１３］
前記制御手段は、前記３Ｄ映像の出力指示に対応して、前記第２の識別情報の入力を要求する［１］に記載の映像出力制御装置。
【００９１】
［１４］
放送信号から指定チャンネル信号を選択する選択手段を備え、
前記制御手段は、前記選択された指定チャンネル信号に対応した３Ｄ映像の出力を制限又は出力制限を解除するように制御する［１］に記載の映像出力制御装置。
【００９２】
［１５］
３Ｄ映像の出力を制限するために記憶された第１の識別情報、及び前記３Ｄ映像の出力制限を解除するために入力された第２の識別情報に基づき、前記第２の識別情報の正当性を判定し、判定結果に基づき前記３Ｄ映像の出力を制限又は出力制限を解除するように制御する映像出力制御方法。
【００９３】
以下、本願の原出願の分割直前の特許請求の範囲に記載された発明を付記する。
【００９４】
［１］
３Ｄ映像の出力許容時間及び第１の識別情報を記憶する記憶手段と、
第２の識別情報を受け取る入力手段と、
前記第２の識別情報が正当か否かを前記第１の識別情報に基づいて判定し、前記第２の識別情報が正当である場合、３Ｄ映像出力時間と前記出力許容時間に基づき、前記３Ｄ映像を出力するか否か判定する制御手段と、
入力信号から３Ｄ情報を検出する検出手段と、
を備え、
前記制御手段は、前記３Ｄ情報の検出に基づき、前記第２の識別情報の入力を要求し、入力された前記第２の識別情報が正当である場合、前記出力許容時間で前記３Ｄ映像を出力し、前記出力許容時間内で前記３Ｄ情報を検出しても、前記第２の識別情報の入力を要求しない３Ｄ映像出力制御装置。
【００９５】
［２］
前記制御手段は、前記３Ｄ映像の出力制限を解除した後の電力オフと電力オンの実行後、前記３Ｄ映像の出力を制限する［１］に記載の３Ｄ映像出力制御装置。
【００９６】
［３］
前記入力手段は、前記第１の識別情報を受け取り、前記記憶手段は、受け取られた前記第１の識別情報を記憶し、
前記制御手段は、前記入力手段により受け取られた前記第２の識別情報が前記記憶手段に記憶された前記第１の識別情報と一致する場合、前記第２の識別情報を正当と判定する［１］に記載の３Ｄ映像出力制御装置。
【００９７】
［４］
前記制御手段は、前記第２の識別情報が正当でなければ、２Ｄ映像を出力する［１］に記載の３Ｄ映像出力制御装置。
【００９８】
［５］
前記制御手段は、前記第２の識別情報が正当でなければ、選択された番組の前記３Ｄ映像を２Ｄ映像へ変換し、前記２Ｄ映像を出力する［１］に記載の３Ｄ映像出力制御装置。
【００９９】
［６］
前記制御手段は、前記出力許容時間終了後、前記２Ｄ映像を出力する［１］に記載の３Ｄ映像出力制御装置。
【０１００】
［７］
前記制御手段は、前記第２の識別情報が正当である場合、前記出力許容時間で選択された番組の前記３Ｄ映像を出力し、前記番組の終了後、前記３Ｄ映像の出力を停止する［１］に記載の３Ｄ映像出力制御装置。
【０１０１】
［８］
前記制御手段は、前記出力許容時間終了後、前記第２の識別情報の再入力を要求する［１］に記載の３Ｄ映像出力制御装置。
【０１０２】
［９］
前記制御手段は、前記３Ｄ情報の検出に基づき、前記第２の識別情報の入力による前記３Ｄ映像の出力を示す案内情報、及び前記第２の識別情報の入力を受け取るように構成された入力項目を出力する［１］に記載の３Ｄ映像出力制御装置。
【０１０３】
［１０］
前記制御手段は、前記３Ｄ情報の検出に基づき、前記３Ｄ映像を２Ｄ映像へ変換し、前記２Ｄ映像、及び前記第２の識別情報の入力を受け取るように構成された入力項目を出力するように制御する［１］に記載の３Ｄ映像出力制御装置。
【０１０４】
［１１］
前記制御手段は、前記３Ｄ映像の出力指示に対応して、前記第２の識別情報の入力を要求する［１］に記載の３Ｄ映像出力制御装置。
【０１０５】
［１２］
３Ｄ映像の出力許容時間及び第１の識別情報を記憶する記憶手段と、
第２の識別情報を受け取る入力手段と、
３Ｄ映像出力時間と前記出力許容時間に基づき、前記３Ｄ映像を出力するか否か判定する第１の３Ｄ映像出力制御、及び前記第２の識別情報が正当か否かを前記第１の識別情報に基づいて判定し、正当か否かの判定結果に基づき前記３Ｄ映像を出力するか否か判定する第２の３Ｄ映像出力制御を実行する制御手段と、
入力信号から３Ｄ情報を検出する検出手段と、
を備え、
前記制御手段は、前記３Ｄ情報の検出に基づき、前記第２の識別情報の入力を要求し、入力された前記第２の識別情報が正当である場合、前記出力許容時間で前記３Ｄ映像を出力し、前記出力許容時間内で前記３Ｄ情報を検出しても、前記第２の識別情報の入力を要求しない３Ｄ映像出力制御装置。
【０１０６】
［１３］
入力信号から３Ｄ情報を検出し、
前記３Ｄ情報の検出に基づき、記憶された第１の識別情報との比較で正当性が判定される第２の識別情報の入力を要求し、
前記第１の識別情報に基づいて、入力された前記第２の識別情報が正当か否かを判定し、前記第２の識別情報が正当である場合、３Ｄ映像出力時間と記憶された出力許容時間に基づき、前記３Ｄ映像を出力するか否か判定し、前記出力許容時間で前記３Ｄ映像を出力し、前記出力許容時間内で前記３Ｄ情報を検出しても、前記第２の識別情報の入力を要求しない３Ｄ映像出力制御方法。
【符号の説明】
【０１０７】
１…デジタルテレビジョン放送受信装置、１４…映像表示器、１５…スピーカ、１６…操作部、１７…リモートコントローラ、１８…受光部、１９…第１のメモリカード、２０…第２のメモリカード、２１…ＬＡＮ端子、２２…第１のＨＤＭＩ端子、２３…第２のＨＤＭＩ端子、２４…ＵＳＢ端子、２５…i.Link端子、４７…アンテナ、４８…入力端子、４９ａ、４９ｂ…チューナ、５０ａ、５０ｂ…ＰＳＫ復調モジュール、５１…信号処理モジュール、５２…アンテナ、５３…入力端子、５４ａ、５４ｂ…チューナ、５５ａ、５５ｂ…ＯＦＤＭ復調モジュール、５６…チューナ、５７…アナログ復調モジュール、５８…グラフィック処理モジュール、５９…音声処理モジュール、６０ａ〜６０ｄ…入力端子、６１…ＯＳＤ信号生成モジュール、６２…映像処理モジュール、６３…出力端子、６４…出力端子、６５…制御モジュール、６６…ＲＯＭ、６７…ＲＡＭ、６８…不揮発性メモリ、６９…カードＩ／Ｆ、７０…カードホルダ、７１…カードＩ／Ｆ、７２…カードホルダ、７３…通信Ｉ／Ｆ、７４…第１のＨＤＭＩＩ／Ｆ、７５…第２のＨＤＭＩ Ｉ／Ｆ、７６…ＵＳＢＩ／Ｆ、７７…ｉ．Link Ｉ／Ｆ、１０１…内蔵ＨＤＤ、１０２…ＵＳＢ−ＨＤＤ、１０３…ＮＡＳ、１０４…ｉ．ＬＩＮＫ−ＨＤＤ、３Ｄ処理モジュール５１１、２Ｄ処理モジュール５１２
【図１】
0005567108.tif 000002
【図２】
0005567108.tif 000003
【図３】
0005567108.tif 000004
【図４】
0005567108.tif 000005
【図５】
0005567108.tif 000006
【図６】
0005567108.tif 000007
【図７】
0005567108.tif 000008
【図８】
0005567108.tif 000009